(57)【要約】【課題】カバーの変形又は破損を抑制する。【解決手段】照明器具１は、光源部１０と、光源部１０を収容し、光源部１０の光出射側に開口２５を有する本体２０と、開口２５を覆う透光性カバー３０とを備え、本体２０は、開口２５の縁部が折曲された形状の折曲部２４を有し、透光性カバー３０は、折曲部２４に載置される。【選択図】図１
2017050255.tif 000002
【特許請求の範囲】
【請求項１】
光源部と、
前記光源部を収容し、前記光源部の光出射側に開口を有する本体と、
前記開口を覆う透光性カバーとを備え、
前記本体は、前記開口の縁部が折曲された形状の折曲部を有し、
前記透光性カバーは、前記折曲部に載置される
照明器具。
【請求項２】
前記本体は、前記折曲部の曲げ線方向における端部に設けられた挿入口を有し、
前記透光性カバーは、前記挿入口から前記曲げ線方向に沿って前記折曲部にスライド挿入されており、
前記照明器具は、さらに、前記挿入口を塞ぐ端部カバーを備える
請求項１に記載の照明器具。
【請求項３】
前記本体は、長尺状の箱体であり、
前記光源部が取り付けられた長尺状の底板と、
互いに略平行になるように、前記底板の長辺から立設された長尺状の一対の立板とを有し、
前記折曲部は、前記一対の立板の各々の立設方向の先端部が折曲された部分であり、
前記透光性カバーは、前記本体の長手方向に沿ってスライド挿入されている
請求項２に記載の照明器具。
【請求項４】
前記折曲部は、前記開口側に折曲されている
請求項３に記載の照明器具。
【請求項５】
前記折曲部は、断面が略Ｕ字形状に折曲されている
請求項４に記載の照明器具。
【請求項６】
前記透光性カバーは、平板である
請求項１〜５のいずれか１項に記載の照明器具。
【請求項７】
前記透光性カバーは、スライド方向に長尺であり、短手方向の長さが前記開口より大きい
請求項６に記載の照明器具。
【請求項８】
前記折曲部は、前記開口の反対側に折曲されている
請求項３に記載の照明器具。
【発明の詳細な説明】
【技術分野】
【０００１】
本発明は、透光性カバーを備える照明器具に関する。
【背景技術】
【０００２】
従来、照明器具は、光源の保護、及び、光源からの光の拡散などを目的として、光源の前面に透光性カバーを備える。例えば、特許文献１には、光源からの光を出射させる開口部を有する器具本体と、器具本体に収納された光源ランプと、開口部を覆うように配設される開口部カバーとを備える照明器具が開示されている。特許文献１に記載の照明器具では、開口部カバーは、器具本体にネジによって固定されている。
【先行技術文献】
【特許文献】
【０００３】
【特許文献１】特開２００３−１８７６３０号公報
【発明の概要】
【発明が解決しようとする課題】
【０００４】
しかしながら、上記従来の照明器具では、カバーが器具本体に固定されているので、光源の点灯時に発生する熱によってカバー又は器具本体が膨張したときに、応力が緩和されない。このため、カバーが変形又は破損するという問題がある。
【０００５】
そこで、本発明は、カバーの変形又は破損を抑制することができる照明器具を提供することを目的とする。
【課題を解決するための手段】
【０００６】
上記目的を達成するため、本発明の一態様に係る照明器具は、光源部と、前記光源部を収容し、前記光源部の光出射側に開口を有する本体と、前記開口を覆う透光性カバーとを備え、前記本体は、前記開口の縁部が折曲された形状の折曲部を有し、前記透光性カバーは、前記折曲部に載置される。
【発明の効果】
【０００７】
本発明に係る照明器具によれば、カバーの変形又は破損を抑制することができる。
【図面の簡単な説明】
【０００８】
【図１】実施の形態に係る照明器具の斜視図である。
【図２】実施の形態に係る照明器具の分解斜視図である。
【図３】実施の形態に係る照明器具の長手方向に直交する断面を示す断面図である。
【図４】実施の形態に係る照明器具の短手方向に直交する断面の一部を示す断面図である。
【図５】実施の形態に係る透光性カバーを折曲部にスライド挿入する様子を示す斜視図である。
【図６Ａ】実施の形態に係る端部カバーを本体に取り付ける様子を示す断面図である。
【図６Ｂ】実施の形態に係る本体に取り付けられた端部カバーを示す断面図である。
【図７】実施の形態の変形例１に係る照明器具の透光性カバーと本体の折曲部とを模式的に示す断面図である。
【図８】実施の形態の変形例２に係る照明器具の透光性カバーと本体の折曲部とを模式的に示す断面図である。
【発明を実施するための形態】
【０００９】
以下では、本発明の実施の形態に係る照明器具について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。また、以下の実施の形態において、略平行又は略直交などの表現を用いている。例えば、略平行は、完全に平行であることを意味するだけでなく、実質的に平行である、すなわち、例えば数％程度の誤差を含むことも意味する。他の「略」を用いた表現についても同様である。
【００１１】
（実施の形態）
［照明器具］
まず、本実施の形態に係る照明器具の構成について、図１〜図４を用いて説明する。
【００１２】
図１は、本実施の形態に係る照明器具１の斜視図である。図２は、本実施の形態に係る照明器具１の分解斜視図である。図３は、本実施の形態に係る照明器具１の長手方向に直交する断面を示す断面図である。図４は、本実施の形態に係る照明器具１の短手方向に直交する断面を示す断面図である。具体的には、図３は、照明器具１の長手方向の中央を通る断面を示している。図４は、図３のＩＶ−ＩＶ線における断面を示している。
【００１３】
図１に示すように、照明器具１は、所定の方向に長尺の照明器具である。照明器具１は、具体的には、天井埋込み型のベースライトであり、床に向けて照明光を出射する。例えば、照明器具１は、図３に示すように、天井板２に設けられた埋込穴３に挿入されて固定される。
【００１４】
なお、本明細書において、照明器具１の長手方向をｙ軸方向とし、当該長手方向に直交する２つの方向をそれぞれｘ軸方向及びｚ軸方向とする。照明器具１は、ｚ軸方向の負側に光を出射する。以下では、説明を簡単にするため、ｚ軸方向の正側を「上」、「上側」又は「上方」と記載し、ｚ軸方向の負側を「下」、「下側」又は「下方」と記載する場合がある。
【００１５】
図２に示すように、照明器具１は、光源部１０と、本体２０と、透光性カバー３０と、端部カバー４０と、電源部５０と、第１押さえ部材６０と、第２押さえ部材７０とを備える。照明器具１は、さらに、複数のネジ８０及び８１を備える。
【００１６】
以下では、照明器具１が備える各構成要素について詳細に説明する。
【００１７】
［光源部］
光源部１０は、本体２０に収容されて、照明光を発する光源である。具体的には、光源部１０は、複数の第１押さえ部材６０及び複数のネジ８０を用いて本体２０の底板２１に固定される。
【００１８】
光源部１０は、基板１１と、発光素子１２と、拡散部材１３とを備える。図２に示すように、基板１１には複数の発光素子１２が実装されている。
【００１９】
基板１１は、ｙ軸方向に長尺な略矩形の回路基板である。基板１１は、例えば、発光素子１２を実装するための実装基板である。基板１１は、例えば、樹脂基板、メタルベース基板、セラミック基板又はガラス基板である。
【００２０】
基板１１は、本体２０の底板２１に固定されている。例えば、複数の爪部（図示せず）が本体２０の底板２１に設けられており、基板１１は、当該複数の爪部に係止することで固定されている。なお、基板１１の固定方法は特に限定されず、ネジ止め、かしめ、又は、接着剤などによって固定されてもよい。
【００２１】
基板１１には、金属配線（図示せず）が設けられ、複数の発光素子１２を電気的に接続している。また、基板１１には、電源部５０からの電力を受けるためのコネクタ（図示せず）が設けられている。電源部５０からの電力は、コネクタ及び金属配線を介して複数の発光素子１２に供給されて、複数の発光素子１２が光を出射する。
【００２２】
発光素子１２は、例えば、ＬＥＤ（Ｌｉｇｈｔ  Ｅｍｉｔｔｉｎｇ  Ｄｉｏｄｅ）チップと蛍光体含有樹脂とがパッケージ化された、いわゆるＳＭＤ（Ｓｕｒｆａｃｅ  Ｍｏｕｎｔｅｄ  Ｄｅｖｉｃｅ）型の発光素子である。つまり、基板１１及び発光素子１２は、ＳＭＤ型の光源モジュールを構成する。
【００２３】
発光素子１２は、具体的には、パッケージと、パッケージに配置されたＬＥＤチップと、ＬＥＤチップを封止する封止部材とを備える。ＬＥＤチップは、単色の可視光を発するベアチップであり、具体的には、通電されれば青色光を発する青色発光ＬＥＤチップである。封止部材は、例えばシリコーン樹脂などの透光性樹脂材料を主成分として含み、ＬＥＤチップからの光の波長を変換する波長変換材を含んでいる。波長変換材は、例えば蛍光体粒子であり、具体的には黄色蛍光体粒子である。ＬＥＤチップからの青色光と、黄色蛍光体粒子が青色光によって励起されて発する黄色光とが混合されることにより、発光素子１２は、白色光を発する。
【００２４】
なお、光源部１０は、ＬＥＤチップが発光素子１２として基板１１に直接実装されたＣＯＢ（Ｃｈｉｐ  Ｏｎ  Ｂｏａｒｄ）型の光源モジュールを備えてもよい。
【００２５】
拡散部材１３は、発光素子１２の光出射側に配置された拡散機能を有する透光性のカバーである。拡散部材１３は、複数の発光素子１２が発する光を拡散（散乱）させる。図３に示すように、拡散部材１３は、ｙ軸方向に長尺で、短手方向における断面が略半円形の半円筒形状を有する。
【００２６】
拡散部材１３は、第１押さえ部材６０と本体２０の底板２１との間に保持される。具体的には、第１押さえ部材６０が、ネジ８０で締め付けられることによって、底板２１との間に拡散部材１３の端部を挟んで固定する。なお、ネジ８０の締め付けを調節することで、拡散部材１３の固定の程度を調整することができる。
【００２７】
拡散部材１３の長手方向には、第２押さえ部材７０が配置されている。これにより、拡散部材１３は、長手方向への移動が規制されている。
【００２８】
拡散部材１３は、例えば、シリカ（ＳｉＯ２）などの拡散粒子を含有する透光性の樹脂材料から形成される。透光性の樹脂材料としては、例えば、アクリル（ＰＭＭＡ）、ポリカーボネート（ＰＣ）などを用いることができる。あるいは、拡散部材１３は、拡散粒子を含有しない透光性の樹脂材料から形成されており、表面にシボ加工などの凹凸面を有してもよい。
【００２９】
［本体］
本体２０は、照明器具１の器具本体である。本体２０は、内部に光源部１０を収容し、光源部１０の光出射側に開口２５を有する。具体的には、本体２０は、下面が開口２５として開放された略直方体状の箱体である。本体２０は、ｙ軸方向に長尺状の箱体である。
【００３０】
本実施の形態では、図２〜図４に示すように、本体２０は、底板２１と、一対の立板２２と、一対の立板２３と、折曲部２４とを備える。また、本体２０は、図２に示すように、開口２５と、挿入口２６とを有する。
【００３１】
底板２１は、光源部１０が取り付けられた長尺状の板である。具体的には、底板２１は、ｙ軸方向に長尺な略矩形の板である。底板２１は、一対の立板２２の上端部及び一対の立板２３の上端部を連結している。なお、底板２１の形状は特に限定されず、例えば、正方形などの他の多角形、又は、楕円形若しくは円形などでもよい。
【００３２】
一対の立板２２は、互いに略平行になるように、底板２１の長辺から立設されている。具体的には、一対の立板２２は、底板２１の長辺の各々から、底板２１に対して略垂直に立設されている。一対の立板２２の各々は、ｙ軸方向に長尺な略矩形の板である。立板２２の長辺の長さは、底板２１の長辺の長さと略同じである。
【００３３】
なお、図示しないが、一対の立板２２の上部には、バネなどの付勢部材が設けられている。照明器具１が天井板２に埋め込まれた場合に、当該バネと折曲部２４（第２板部２４２）とが天井板２を挟むことで、照明器具１は天井板２に固定される。
【００３４】
一対の立板２３は、互いに略平行になるように、底板２１の短辺から立設されている。具体的には、一対の立板２３は、底板２１の短辺の各々から、底板２１に対して略垂直に立設されている。一対の立板２３は、一対の立板２２の長手方向の端部をそれぞれ連結している。
【００３５】
立板２３の内側には、図２〜図４に示すように、舌片部２３１が設けられている。舌片部２３１は、立板２３の一部を切り起こすことで形成される。舌片部２３１には、切り欠き形状の挿通孔２３２が中央部に設けられている。端部カバー４０のキックバネ４４が挿通孔２３２に挿通されて、舌片部２３１を付勢することで、端部カバー４０が本体２０に固定される。
【００３６】
折曲部２４は、開口２５の縁部が折曲された形状を有し、本体２０の一部である。折曲部２４は、透光性カバー３０が載置される部分である。折曲部２４は、一対の立板２２の立設方向（ｚ軸方向の負側）の先端に設けられている。例えば、折曲部２４は、一対の立板２２の各々の立設方向の先端部が折曲された部分である。具体的には、折曲部２４は、立板２２の先端部を、曲げ線方向が本体２０の長手方向（ｙ軸方向）になるように折曲されることにより形成される。
【００３７】
本実施の形態では、折曲部２４は、開口２５側に折曲されている。具体的には、折曲部２４は、断面が略Ｕ字形状に折曲されている。より具体的には、図３に示すように、折曲部２４は、一対の第１板部２４１と、一対の第２板部２４２と、一対の第３板部２４３とを有する。つまり、一対の立板２２の各々の立設方向における先端に、第１板部２４１と第２板部２４２と第３板部２４３とが設けられている。
【００３８】
第１板部２４１は、透光性カバー３０のスライド方向（具体的には、ｙ軸方向）に延びた板状の部分である。具体的には、第１板部２４１は、立板２２の長手方向における全長に亘って設けられている。すなわち、第１板部２４１の長手方向の長さは、立板２２の長辺の長さと略同じである。第１板部２４１の長手方向における両端部は、挿入口２６の周の一部を形成する。
【００３９】
本実施の形態では、一対の第１板部２４１は、立板２２の先端部のうち、開口２５側に折曲された部分である。つまり、一対の第１板部２４１は、互いに近づく方向に延設されている。図３に示すように、一対の第１板部２４１は、光源部１０の光軸に直交する方向（開口２５の開口面に平行な方向）、つまり、ｘ軸方向に延設されている。
【００４０】
第２板部２４２は、透光性カバー３０のスライド方向（具体的には、ｙ軸方向）に延びた板状の部分である。具体的には、第２板部２４２は、立板２２の長手方向における全長に亘って設けられている。すなわち、第２板部２４２の長手方向の長さは、立板２２の長辺の長さと略同じである。第２板部２４２の長手方向における両端部は、挿入口２６の周の一部を形成する。
【００４１】
第２板部２４２は、立板２２の先端部のうち、開口２５の反対側に折曲された部分である。具体的には、第２板部２４２は、立板２２の先端（折曲の起点）から照明器具１の外方に向かって延びている。第２板部２４２は、第１板部２４１と略平行に設けられている。
【００４２】
第２板部２４２は、平板であり、図３に示すように、天井板２に当接する。すなわち、第２板部２４２は、照明器具１を天井板２の埋込穴３に取り付ける際に、立板２２に設けられたバネ（図示せず）とで、天井板２を挟持する。これにより、照明器具１を天井板２に固定することができる。
【００４３】
第３板部２４３は、第１板部２４１と第２板部２４２とを連結する部分である。具体的には、第３板部２４３は、第１板部２４１及び第２板部２４２に略直交する。すなわち、第３板部２４３は、立板２２の先端部のうち、光軸に平行な方向に折曲された部分である。
【００４４】
第３板部２４３は、第１板部２４１及び第２板部２４２の長手方向の長さと略同じ長さを有する。第３板部２４３の長手方向における両端部は、挿入口２６の周の一部を形成する。第３板部２４３の幅（ｚ軸方向の長さ）、すなわち、第１板部２４１と第２板部２４２との距離は、透光性カバー３０の板厚以上の長さである。
【００４５】
図３に示すように、第１板部２４１、第２板部２４２及び第３板部２４３の断面形状が、略Ｕ字形状である。なお、本実施の形態では、第１板部２４１の幅（ｘ軸方向における長さ）は、第２板部２４２の幅より大きい。すなわち、一対の第１板部２４１は、開口２５の一部を覆っている。
【００４６】
開口２５は、本体２０の内部に収容された光源部１０からの光を外部に取り出すための開口である。開口２５は、透光性カバー３０によって覆われている。本実施の形態では、開口２５は、光出射側（下方）から見た場合に、折曲部２４で囲まれた部分である。すなわち、開口２５は、一対の立板２２の各々の立設方向の先端と一対の立板２３の各々の立設方向の先端とによって形成されている。開口２５は、光出射側から見た場合に略矩形である。
【００４７】
挿入口２６は、折曲部２４の曲げ線方向（具体的には、ｙ軸方向）における端部に設けられている。具体的には、挿入口２６は、一対の立板２３の立設方向（ｚ軸方向の負側）の先端に設けられている。挿入口２６は、透光性カバー３０をスライド挿入するための出入口である。本実施の形態では、挿入口２６は、本体２０の長手方向の両端部にそれぞれ設けられている。
【００４８】
挿入口２６は、具体的には、一対の第１板部２４１、一対の第２板部２４２及び一対の第３板部２４３の各々の長手方向における端部によって囲まれた開口である。本実施の形態では、挿入口２６の大きさ及び形状は、少なくとも透光性カバー３０が挿入可能な大きさ及び形状を有する。具体的には、挿入口２６は、横（ｘ軸方向の長さ）が透光性カバー３０の幅に略一致し、縦（ｚ軸方向の長さ）が透光性カバー３０より大きい略矩形である。
【００４９】
本実施の形態では、本体２０は、一枚の板金に折り曲げ加工を施すことにより形成される。例えば、底板２１を中心として板金を略直角に折曲することで、一対の立板２２及び一対の立板２３が形成される。なお、立板２２と立板２３とは、例えば、かしめ又は溶接などにより接着される。その後、一対の立板２２の先端部分を折曲することにより、折曲部２４が形成される。なお、折曲部２４の形成は、立板２２を形成する前でもよい。すなわち、最初に折曲部２４を形成した後、立板２２を形成してもよい。
【００５０】
［透光性カバー］
透光性カバー３０は、本体２０の開口２５を覆う透光性カバーの一例である。透光性カバー３０は、光源部１０からの照明光を透過する。
【００５１】
本実施の形態では、透光性カバー３０は、平板（パネル）である。具体的には、透光性カバー３０は、スライド方向に長尺の略矩形の平板である。スライド方向は、本体２０の長手方向、すなわち、ｙ軸方向である。透光性カバー３０は、短手方向（ｘ軸方向）の長さが開口２５より大きい。
【００５２】
透光性カバー３０は、折曲部２４に載置されている。具体的には、本実施の形態では、透光性カバー３０は、挿入口２６から曲げ線方向（ｙ軸方向）に沿って折曲部２４にスライド挿入されている。透光性カバー３０は、曲げ線方向に直交する方向（ｘ軸方向）における両端部が一対の第１板部２４１に載置されている。つまり、透光性カバー３０は、短手方向の端部が第１板部２４１の上面をスライドされて、開口２５を覆うように配置されている。
【００５３】
透光性カバー３０は、例えば、透光性の樹脂材料から形成される。透光性の樹脂材料としては、例えば、アクリル（ＰＭＭＡ）、スチロール（ポリスチレン：ＰＳ）、ポリカーボネート（ＰＣ）などを用いることができる。
【００５４】
なお、透光性カバー３０は、光源部１０からの出射光を拡散させてもよい。例えば、透光性カバー３０は、例えば、表面にシボ加工などの凹凸面を有してもよく、あるいは、拡散粒子を含有する透光性の樹脂材料から形成されていてもよい。
【００５５】
［端部カバー］
端部カバー４０は、挿入口２６を塞ぐカバーである。端部カバー４０は、挿入口２６を塞ぐことで、透光性カバー３０が挿入口２６から飛び出すのを抑制する。本実施の形態では、本体２０の両端部に２つの挿入口２６が設けられているので、照明器具１は、２つの端部カバー４０を備える。２つの端部カバー４０は大きさ及び形状などが同じであり、２つの挿入口２６の各々を塞ぐ。
【００５６】
図２〜図４に示すように、端部カバー４０は、上面及び１つの側面が開放された略直方体状の蓋体である。具体的には、図４に示すように、端部カバー４０は、底板４１と、側壁４２と、突起部４３と、キックバネ４４とを有する。
【００５７】
底板４１は、略矩形の板である。側壁４２は、底板４１の３辺に沿って立設された板状の壁である。側壁４２は、ｙ軸方向に交差する位置に設けられており、透光性カバー３０のｙ軸方向への移動を規制する。
【００５８】
突起部４３は、底板４１から鉤状に突出した突起である。本実施の形態では、突起部４３には、キックバネ４４が取り付けられている。具体的には、突起部４３は、キックバネ４４の丸い中央部に挿入される支点棒として機能する。また、図４に示すように、突起部４３は、先端部分が透光性カバー３０の上方に位置している。言い換えると、突起部４３と底板４１との間に、透光性カバー３０の長手方向における端部が挿入されている。これにより、突起部４３と底板４１とは、透光性カバー３０の上下方向（ｚ軸方向）への移動を規制することができる。
【００５９】
キックバネ４４は、端部カバー４０を本体２０に取り付けるための付勢部材の一例である。キックバネ４４は、端部カバー４０が本体２０に取り付けられた場合に、図３に示すように、舌片部２３１の挿通孔２３２に挿入されて舌片部２３１を付勢する。これにより、キックバネ４４は、端部カバー４０を上方に持ち上げる力が働き、端部カバー４０が本体２０に固定される。
【００６０】
端部カバー４０は、例えば、ＡＢＳなどの樹脂材料から形成される。なお、キックバネ４４は、例えば、金属材料から形成されて、突起部４３に固定されている。
【００６１】
［電源部］
電源部５０は、光源部１０に電力を供給する電源である。電源部５０は、本体２０内に収容されている。具体的には、電源部５０は、ネジ８１によって本体２０の底板２１に固定されている。
【００６２】
電源部５０は、具体的には、電源回路と、電源回路を収容する回路ケースとを有する。電源部５０は、外部電源（例えば、商用電源）などからリード線（図示せず）を介して交流電力を受け、直流電力に変換して光源部１０に供給する。
【００６３】
電源回路は、光源部１０に電力を供給し、発光素子１２を点灯するための点灯回路であり、基板と、基板に実装された電子部品とを備える。電子部品には、トランジスタ、コンデンサ、コイル、抵抗素子、整流素子などの回路部品が含まれる。電源回路は、絶縁シート（図示せず）によって包まれて回路ケースに収容されている。回路ケースは、例えば、金属製の筐体である。回路ケースは、アルミニウムなどの金属材料から形成されている。
【００６４】
［押さえ部材及びネジ］
第１押さえ部材６０は、拡散部材１３を本体２０の底板２１に取り付けるための部材である。第１押さえ部材６０は、例えば、矩形の金属板であり、図３に示すように、拡散部材１３の端部の厚みに応じた段差を有する。第１押さえ部材６０は、例えば、アルミニウム、鉄又はステンレスなどから形成される。
【００６５】
第２押さえ部材７０は、拡散部材１３の長手方向への移動を規制するための部材である。第２押さえ部材７０は、例えば、樹脂材料から形成されている。第２押さえ部材７０は、例えば、弾性を有し、拡散部材１３と本体２０との間に挟まれて保持される。これにより、第２押さえ部材７０は、拡散部材１３と本体２０との間の緩衝材としても機能する。すなわち、第２押さえ部材７０は、拡散部材１３が本体２０の立板２３に接触（衝突）するのを防止する。
【００６６】
ネジ８０及びネジ８１は、固定部材の一例であり、それぞれ拡散部材１３又は電源部５０を本体２０の底板２１に固定するために用いられる。ネジ８０及びネジ８１は、例えば、金属製のネジであるが、特に限定されない。ネジ８０及びネジ８１は、樹脂製のネジでもよい。また、ネジ８０及びネジ８１の代わりに、ボルトとナットとを用いてもよい。
【００６７】
［照明器具の組み立て］
ここで、本実施の形態に係る照明器具１の組み立てについて、図面を用いて説明する。
【００６８】
本実施の形態では、まず、本体２０内に光源部１０及び電源部５０が固定された後に、透光性カバー３０で開口２５に蓋をする。
【００６９】
図５は、本実施の形態に係る透光性カバー３０を折曲部２４にスライド挿入する様子を示す斜視図である。透光性カバー３０は、本体２０の挿入口２６から折曲部２４に挿入されて、図５に示すように、透光性カバー３０の短手方向の両端部がそれぞれ、折曲部２４内をスライドされる（白抜き矢印）。具体的には、透光性カバー３０の短手方向の端部は、第１板部２４１と第２板部２４２との間をスライドされる。透光性カバー３０が開口２５の全体を覆う位置までスライドされた後、本体２０の長手方向の両端部に端部カバー４０がそれぞれ取り付けられる。
【００７０】
図６Ａは、本実施の形態に係る端部カバー４０を本体２０に取り付ける様子を示す断面図である。図６Ｂは、本実施の形態に係る本体２０に取り付けられた端部カバー４０を示す断面図である。
【００７１】
図６Ａに示すように、キックバネ４４に力を加えることで（白抜き矢印）、キックバネ４４を中央に押し縮める。例えば、キックバネ４４を指でつまんで押し縮める。この状態で、舌片部２３１の挿通孔２３２にキックバネ４４が挿通されるように、端部カバー４０を上向きに移動させる。
【００７２】
キックバネ４４が挿通孔２３２に挿通された後、押し縮める力を緩めることで、キックバネ４４は外方に広がり、下方に押す力が舌片部２３１に加わる（白抜き矢印）。これにより、端部カバー４０が上方に引っ張り上げられて本体２０に固定される。
【００７３】
なお、例えば、光源部１０の交換などの場合は、端部カバー４０を掴んで下に引っ張ることで、キックバネ４４が舌片部２３１によって押し縮められて挿通孔２３２から抜ける。これにより、端部カバー４０を取り外すことができるので、透光性カバー３０をスライドさせて取り外すことができる。開口２５から光源部１０が見えているので、簡単に光源部１０の交換などを行うことができる。
【００７４】
［効果など］
以上のように、本実施の形態に係る照明器具１は、光源部１０と、光源部１０を収容し、光源部１０の光出射側に開口２５を有する本体２０と、開口２５を覆う透光性カバー３０とを備え、本体２０は、開口２５の縁部が折曲された形状の折曲部２４を有し、透光性カバー３０は、折曲部２４に載置される。
【００７５】
このように、透光性カバー３０は、開口２５の縁に設けられた折曲部２４に載置されるので、本体２０には固定されなくてもよい。このため、光源部１０の点灯時に発生する熱によって本体２０が膨張した場合であっても、透光性カバー３０には負荷がかかりにくい。したがって、透光性カバー３０の変形又は破損を抑制することができる。また、透光性カバー３０を本体２０に固定するための部材（例えば、ネジ）も必要ではないので、部品点数を少なくすることができる。これにより、照明器具１を軽量化することができ、製造コストを削減することもできる。
【００７６】
また、例えば、本体２０は、折曲部２４の曲げ線方向（ｙ軸方向）における端部に設けられた挿入口２６を有し、透光性カバー３０は、挿入口２６から曲げ線方向に沿って折曲部２４にスライド挿入されており、照明器具１は、さらに、挿入口２６を塞ぐ端部カバー４０を備える。
【００７７】
このように、透光性カバー３０は折曲部２４にスライド挿入されているので、本体２０には固定されなくてもよい。このため、本体２０の熱膨張による負荷が透光性カバー３０にはかかりにくいので、透光性カバー３０の変形又は破損を抑制することができる。
【００７８】
また、透光性カバー３０をネジ止めする場合には、ネジによる締め付けに耐える程度の強度が必要となる。このため、透光性カバー３０には、所定の厚さが要求される。これに対して、本実施の形態に係る照明器具１では、透光性カバー３０はスライド挿入されているので、本体２０には固定する必要がなく、厚みを薄くすることができる。したがって、透光性カバー３０の形状、厚さなどの設計の自由度を高めることができる。
【００７９】
また、例えば、本体２０は、長尺状の箱体であり、光源部１０が取り付けられた長尺状の底板２１と、互いに略平行になるように、底板２１の長辺から立設された長尺状の一対の立板２２とを有し、折曲部２４は、一対の立板２２の各々の立設方向の先端部が折曲された部分であり、透光性カバー３０は、本体２０の長手方向に沿ってスライド挿入されている。
【００８０】
このように、先端部が折曲されることで折曲部２４が形成されているので、部品点数を少なくすることができる。すなわち、本体２０の一部が透光性カバー３０を支持するので、透光性カバー３０を固定するための枠や金具などが必要ではなくなる。これにより、照明器具１を軽量化することができ、製造コストを削減することができる。
【００８１】
また、例えば、折曲部２４は、開口２５側に折曲されている。
【００８２】
このように、折曲部２４が開口２５側に折曲されているので、例えば、パネルなどの平板の透光性カバー３０を折曲部２４に載置することができる。これにより、透光性カバー３０を平板などの単純な形状にすることができるので、応力の集中などが起こりにくく、透光性カバー３０の変形又は破損を抑制することができる。
【００８３】
また、例えば、折曲部２４は、断面が略Ｕ字形状に折曲されている。
【００８４】
これにより、断面が略Ｕ字形状の折曲部２４に透光性カバー３０を挿入することができるので、透光性カバー３０の上下方向への移動を規制することができる。したがって、例えば、照明器具１の運搬時などの振動によって透光性カバー３０が外れるのを抑制することができ、変形又は破損を抑制することができる。
【００８５】
また、例えば、透光性カバー３０は、平板である。
【００８６】
これにより、応力の集中などが起こりにくく、透光性カバー３０の変形又は破損を抑制することができる。
【００８７】
また、例えば、透光性カバー３０は、スライド方向に長尺であり、短手方向の長さが開口２５より大きい。
【００８８】
このように、透光性カバー３０の短手方向の長さが開口２５より大きいので、折曲部２４は、光出射側から見たときに開口２５にほとんど重ならない部分で透光性カバー３０を支持することができる。つまり、折曲部２４は、開口２５と重ならないように設けることができるので、光の取り出し効率を高めることができる。
【００８９】
（変形例１）
上記の実施の形態では、折曲部２４が断面略Ｕ字形状を有し、透光性カバー３０が平板（パネル）である例について示したが、折曲部２４の形状及び透光性カバー３０の形状については、特に限定されない。
【００９０】
以下では、本実施の形態に係る照明器具１の変形例１について図面を用いて説明する。
【００９１】
図７は、本変形例に係る照明器具１ａの透光性カバー３０ａと本体２０ａの折曲部２４ａとを模式的に示す断面図である。具体的には、図７は、図３に示す断面に相当する。
【００９２】
図７に示すように、本変形例に係る照明器具１ａは、実施の形態に係る照明器具１と比較して、透光性カバー３０及び折曲部２４の代わりに、透光性カバー３０ａ及び折曲部２４ａを備える点が異なっている。以下では、実施の形態と異なる点を中心に説明する。
【００９３】
透光性カバー３０ａは、短手方向（ｘ軸方向）の端部が略断面Ｕ字形状を有する。つまり、透光性カバー３０ａは、実施の形態に係る平板状の透光性カバー３０の短手方向の端部が、断面略Ｕ字形状に折曲された形状を有する。透光性カバー３０ａは、例えば、樹脂材料を用いた射出成形により形成される。
【００９４】
折曲部２４ａは、開口２５に反対側に折曲された形状を有する。具体的には、図７に示すように、折曲部２４ａは、立板２２の先端部が略直角に開口２５の反対側に折曲されることで形成される。
【００９５】
具体的には、折曲部２４ａは、立板２２の先端（曲げの起点）から略直角に延設された第１板部２４１ａを有する。第１板部２４１ａは、平板であり、開口２５の開口面に略平行な方向（ｘ軸方向）に延設されている。
【００９６】
なお、本変形例に係る照明器具１の本体２０ａは、天井板２に当接する第２板部２４２ａを有する。第２板部２４２ａは、本体２０ａを天井板２に取り付ける際に、本体２０ａの立板２２に設けられたバネ（図示せず）との間で天井板２を挟持する。なお、第２板部２４２ａは、例えば、本体２０ａの立板２２に溶接された部材でもよく、あるいは、立板２２の一部を切り起こすことで形成されてもよい。
【００９７】
このように、上記の実施の形態では、折曲部２４が透光性カバー３０の短手方向の端部を包むように支持したのに対して、本変形例では、透光性カバー３０ａの短手方向の端部が折曲部２４ａ（具体的には、第１板部２４１ａ）を包むように保持する。この場合であっても、透光性カバー３０ａを折曲部２４にスライドさせることができる。
【００９８】
以上のように、本変形例に係る照明器具１ａでは、折曲部２４ａは、開口２５の反対側に折曲されている。
【００９９】
これにより、透光性カバー３０ａの変形又は破損を抑制することができる。
【０１００】
（変形例２）
続いて、本実施の形態に係る照明器具１の変形例２について図面を用いて説明する。
【０１０１】
図８は、本変形例に係る照明器具１ｂの透光性カバー３０ｂと本体２０ｂの折曲部２４ｂとを模式的に示す断面図である。具体的には、図８は、図３に示す断面に相当する。
【０１０２】
図８に示すように、本変形例に係る照明器具１ｂは、実施の形態に係る照明器具１と比較して、透光性カバー３０及び折曲部２４の代わりに、透光性カバー３０ｂ及び折曲部２４ｂを備える。
【０１０３】
透光性カバー３０ｂは、実施の形態に係る透光性カバー３０と比較して、形状が異なっている。具体的には、透光性カバー３０ｂは、図８に示すように、断面が略半楕円形の半楕円筒形状を有する。透光性カバー３０ｂは、短手方向（ｘ軸方向）の端部に鍔３１ｂを有し、鍔３１ｂが折曲部２４ｂに載置されている。
【０１０４】
折曲部２４ｂは、開口２５側に折曲された形状を有する。具体的には、図８に示すように、折曲部２４ｂは、立板２２の先端部が略直角に開口２５側に、すなわち、開口２５を覆うように折曲されることで形成される。
【０１０５】
具体的には、折曲部２４ｂは、立板２２の先端（曲げの起点）から略直角に延設された第１板部２４１ｂを有する。第１板部２４１ｂは、平板であり、開口２５の開口面に平行な方向に延設されている。
【０１０６】
なお、本変形例に係る照明器具１の本体２０ｂは、変形例１と同様に、第２板部２４２ａを有する。
【０１０７】
このように、透光性カバーの形状は、平板（パネル）には限らず、半楕円筒形状などでもよい。本変形例においても、上記の実施の形態と同様に、透光性カバー３０ｂの変形又は破損を抑制することができる。
【０１０８】
また、折曲部の形状についても、本変形例の折曲部２４ｂのように、略Ｕ字形状に限定されない。あるいは、折曲部は、斜めＬ字状に形成されていてもよい。例えば、立板２２の先端部が、開口２５の反対側に斜め下方に折曲された後、一部（第１板部２４１に相当）が開口２５側に折曲されてもよい。
【０１０９】
また、本変形例では、第１板部２４１ｂが開口面に略平行に延設されているが、これに限らない。例えば、第１板部２４１ｂは、斜め上方に延設されていてもよい。すなわち、第１板部２４１ｂは、立板２２の先端部が折り返されるように、鋭角に折曲されて形成されてもよい。
【０１１０】
（その他）
以上、本発明に係る照明器具について、上記の実施の形態及びその変形例に基づいて説明したが、本発明は、上記の実施の形態に限定されるものではない。
【０１１１】
例えば、上記の実施の形態では、透光性カバー３０が折曲部２４にスライド挿入されている例について示したが、これに限らない。例えば、透光性カバー３０は、スナップインなどにより折曲部２４に係止されてもよい。あるいは、透光性カバー３０がフレキシブルな平板である場合、透光性カバー３０を短手方向に折り曲げて開口２５から挿入し、折曲部２４の各々に載置してもよい。
【０１１２】
また、例えば、上記の実施の形態では、折曲部２４（具体的には、第１板部２４１）が立板２２の長手方向における全長に亘って設けられている例について示したが、これに限らない。例えば、第１板部２４１は、立板２２の長手方向において断片的に設けられてもよい。例えば、第１板部２４１は、立板２２の長手方向における両端と中央との３ヶ所のみに設けられてもよい。第２板部２４２及び第３板部２４３についても同様である。
【０１１３】
また、例えば、上記の実施の形態では、本体２０の長手方向の両端部の各々に挿入口２６を設けたが、いずれか一方のみでもよい。また、スナップインなどによって透光性カバー３０を折曲部２４に載置させる場合には、挿入口２６は設けられていなくてもよい。
【０１１４】
また、例えば、上記の実施の形態では、透光性カバー３０が長尺であり、長手方向にスライド挿入される例について示したが、これに限らない。透光性カバー３０は、短手方向にスライド挿入されてもよい。
【０１１５】
また、例えば、上記の実施の形態では、折曲部２４は、本体２０を構成する板金を折り曲げ加工することで形成されたが、これに限らない。すなわち、折曲部２４は、例えば、ダイカストによって、折り曲げ加工と略同じ形状に成形されていてもよい。つまり、折曲部２４は、所定の曲げ形状と略同じ形状を有せばよく、形成方法は、折り曲げ加工、ダイカストなどに限定されない。
【０１１６】
また、例えば、上記の実施の形態では、光源部１０がＬＥＤ素子を備える例について示したが、これに限らない。光源部１０は、有機ＥＬ（Ｅｌｅｃｔｒｏ−Ｌｕｍｉｎｅｓｃｅｎｃｅ）素子、又は、レーザ素子などの固体発光素子を備えてもよく、あるいは、蛍光灯などの放電型ランプを備えてもよい。
【０１１７】
また、例えば、上記の実施の形態では、照明器具１が天井埋込み型の長尺のベースライトである例について示したが、これに限らない。照明器具１は、略長方形、略正方形又は略円形などの面状に点灯するシーリングライト、ペンダントライトなどでもよい。あるいは、照明器具１は、ダウンライト、スポットライト、スタンド式ライトなどでもよい。
【０１１８】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１９】
１、１ａ、１ｂ  照明器具
１０  光源部
２０、２０ａ、２０ｂ  本体
２１  底板
２２、２３  立板
２４、２４ａ、２４ｂ  折曲部
２５  開口
２６  挿入口
３０、３０ａ、３０ｂ  透光性カバー
４０  端部カバー
２４１、２４１ａ、２４１ｂ  第１板部
２４２、２４２ａ  第２板部
２４３  第３板部
【図１】
2017050255.tif 000003
【図２】
2017050255.tif 000004
【図３】
2017050255.tif 000005
【図４】
2017050255.tif 000006
【図５】
2017050255.tif 000007
【図６Ａ】
2017050255.tif 000008
【図６Ｂ】
2017050255.tif 000009
【図７】
2017050255.tif 000010
【図８】
2017050255.tif 000011